(57)【要約】  リアクトルは、ｎ層(ｎ≧２)の第１円筒巻線が同心円状に配置された第１多重円筒巻線(１１０)と、ｎ層(ｎ≧２)の第２円筒巻線が同心円状に配置され、第１多重円筒巻線(１１０)と隣接して同軸上に位置する第２多重円筒巻線(１２０)とを備える。ｎ層の第１円筒巻線の各々とｎ層の第２円筒巻線の各々とは、それぞれ１対１で対応するように配線によって互いに接続されている。ｎ層の第１円筒巻線において外側からａ層目(１≦ａ≦ｎ)に位置する第１円筒巻線と、ｎ層の第２円筒巻線において内側からａ層目(１≦ａ≦ｎ)に位置する第２円筒巻線とは、配線によって互いに接続されている。互いに接続された第１円筒巻線と第２円筒巻線とからなる複数の円筒巻線接続体が、並列に接続されている。
2017126078.tif 000002
【特許請求の範囲】
【請求項１】
ｎ層(ｎ≧２)の第１円筒巻線が同心円状に配置された第１多重円筒巻線と、
ｎ層(ｎ≧２)の第２円筒巻線が同心円状に配置され、前記第１多重円筒巻線と隣接して同軸上に位置する第２多重円筒巻線とを備え、
前記ｎ層の第１円筒巻線の各々と前記ｎ層の第２円筒巻線の各々とは、それぞれ１対１で対応するように配線によって互いに接続されており、
前記ｎ層の第１円筒巻線において外側からａ層目(１≦ａ≦ｎ)に位置する第１円筒巻線と、前記ｎ層の第２円筒巻線において内側からａ層目(１≦ａ≦ｎ)に位置する第２円筒巻線とは、前記配線によって互いに接続されており、
互いに接続された第１円筒巻線と第２円筒巻線とからなる複数の円筒巻線接続体が、並列に接続されている、リアクトル。
【請求項２】
前記第１多重円筒巻線の軸方向において、前記第１多重円筒巻線の長さが、前記第２多重円筒巻線の長さと等しい、請求項１に記載のリアクトル。
【請求項３】
ｎ層(ｎ≧２)の第３円筒巻線が同心円状に配置され、第１多重円筒巻線側とは反対側において前記第２多重円筒巻線と隣接して同軸上に位置する第３多重円筒巻線をさらに備え、
前記ｎ層の第２円筒巻線の各々と前記ｎ層の第３円筒巻線の各々とは、それぞれ１対１で対応するように配線によって互いに接続されており、
前記ｎ層の第２円筒巻線において外側からａ層目(１≦ａ≦ｎ)に位置する第２円筒巻線と、前記ｎ層の第３円筒巻線において内側からａ層目(１≦ａ≦ｎ)に位置する第３円筒巻線とは、前記配線によって互いに接続されており、
互いに接続された第１円筒巻線と第２円筒巻線と第３円筒巻線とからなる前記複数の円筒巻線接続体が、並列に接続されている、請求項１に記載のリアクトル。
【請求項４】
前記第１多重円筒巻線の軸方向において、前記第１多重円筒巻線の長さは、前記第３多重円筒巻線の長さと等しく、かつ、前記第１多重円筒巻線の長さと前記第３多重円筒巻線の長さとの合計が、前記第２多重円筒巻線の長さと等しい、請求項３に記載のリアクトル。
【請求項５】
前記配線が、前記第１多重円筒巻線の軸方向から見て、前記第１多重円筒巻線の径方向に直線状に延在し、前記第１多重円筒巻線の内周と外周との間に位置している、請求項１から請求項４のいずれか１項に記載のリアクトル。
【発明の詳細な説明】
【技術分野】
【０００１】
本発明は、リアクトルに関する。
【背景技術】
【０００２】
並列に結線された複数の円筒巻線から構成されているリアクトルにおいては、複数の円筒巻線の各々を構成する素線の長さ、および、複数の円筒巻線の各々の内側の面積が、互いに異なることに起因して、複数の円筒巻線の各々のインピーダンスに差異が生ずる。これにより、複数の円筒巻線の各々に電流が均一に流れず、磁束密度の分布にばらつきが発生する。磁束密度の分布にばらつきが発生した場合、局所的に大きな損失が発生し、その損失の発生箇所において円筒巻線が局所的に高温になる。【０００３】
静止誘導電器の巻線構造を開示した先行文献として、実開平３−６７４１４号公報(特許文献１)がある。特許文献１に記載された静止誘導電器の巻線構造においては、円筒巻線を構成する導線の内径側と外径側とを入れ換える転位が行なわれるとともに、導線の両端部がそれぞれ並列に結線されている。
【先行技術文献】
【特許文献】
【０００４】
【特許文献１】実開平３−６７４１４号公報
【発明の概要】
【発明が解決しようとする課題】
【０００５】
特許文献１には、１つの円筒巻線内において導線を転位させた構造、または、半径方向において互いに隣接する内側巻線と外側巻線とにおいて導線を転位させた構造が開示されており、複数の円筒巻線からなるリアクトルについては記載も示唆もされていない。【０００６】
本発明は上記の問題点に鑑みてなされたものであって、複数の円筒巻線から構成されているリアクトルにおいて、損失を低減して、円筒巻線に局所的な高温部が発生することを抑制できるリアクトルを提供することを目的とする。
【課題を解決するための手段】
【０００７】
本発明に基づくリアクトルは、ｎ層(ｎ≧２)の第１円筒巻線が同心円状に配置された第１多重円筒巻線と、ｎ層(ｎ≧２)の第２円筒巻線が同心円状に配置され、第１多重円筒巻線と隣接して同軸上に位置する第２多重円筒巻線とを備える。ｎ層の第１円筒巻線の各々とｎ層の第２円筒巻線の各々とは、それぞれ１対１で対応するように配線によって互いに接続されている。ｎ層の第１円筒巻線において外側からａ層目(１≦ａ≦ｎ)に位置する第１円筒巻線と、ｎ層の第２円筒巻線において内側からａ層目(１≦ａ≦ｎ)に位置する第２円筒巻線とは、配線によって互いに接続されている。互いに接続された第１円筒巻線と第２円筒巻線とからなる複数の円筒巻線接続体が、並列に接続されている。
【発明の効果】
【０００８】
本発明によれば、複数の円筒巻線から構成されているリアクトルにおいて、損失を低減して、円筒巻線が局所的に高温になることを抑制できる。
【図面の簡単な説明】
【０００９】
【図１】本発明の実施形態１に係るリアクトルの構成を示す斜視図である。
【図２】図１のＩＩ部の接続構造を示す断面図である。
【図３】図１のリアクトルをＩＩＩ−ＩＩＩ線矢印方向から見た断面図である。
【図４】本発明の実施形態２に係るリアクトルの構成を示す斜視図である。
【図５】図４のＶ部の接続構造を示す断面図である。
【発明を実施するための形態】
【００１０】
以下、本発明の各実施形態に係るリアクトルについて図面を参照して説明する。なお、図中の同一または相当する部分については同一符号を付してその説明を繰り返さない。以下の実施形態の説明においては、空芯リアクトルについて説明するが、ギャップ付鉄心を有するリアクトルであってもよい。
【００１１】
(実施形態１)
図１は、本発明の実施形態１に係るリアクトルの構成を示す斜視図である。図２は、図１のＩＩ部の接続構造を示す断面図である。図３は、図１のリアクトルをＩＩＩ−ＩＩＩ線矢印方向から見た断面図である。図１においては、後述する接続導体を図示していない。
【００１２】
図１〜３に示すように、本発明の実施形態１に係るリアクトル１００は、第１多重円筒巻線１１０と、第１多重円筒巻線１１０と隣接して同軸上に位置する第２多重円筒巻線１２０とを備える。
【００１３】
第１多重円筒巻線１１０においては、ｎ層(ｎ≧２)の第１円筒巻線が同心円状に配置されている。本実施形態においては、第１多重円筒巻線１１０は、３層の第１円筒巻線１１１〜１１３を含んでいるが、第１多重円筒巻線１１０が含む第１円筒巻線の層数は、３層に限られず、２層以上であればよい。
【００１４】
第２多重円筒巻線１２０においては、ｎ層(ｎ≧２)の第２円筒巻線が同心円状に配置されている。本実施形態においては、第２多重円筒巻線１２０は、３層の第２円筒巻線１２１〜１２３を含んでいるが、第２多重円筒巻線１２０が含む第２円筒巻線の層数は、３層に限られず、２層以上であればよい。
【００１５】
第１多重円筒巻線１１０の軸方向１において、第１多重円筒巻線１１０の長さは、第２多重円筒巻線１２０の長さと等しい。
【００１６】
第１円筒巻線１１１〜１１３および第２円筒巻線１２１〜１２３の各々は、素線が巻き回されて構成されている。素線は、銅線の周囲をクラフト紙などの絶縁紙で覆った構造を有している。
【００１７】
第１円筒巻線１１１〜１１３の各々の一端は、接続導体１４１に接続されている。第２円筒巻線１２１〜１２３の各々の他端は、接続導体１４２に接続されている。
【００１８】
第１円筒巻線１１１〜１１３の各々と第２円筒巻線１２１〜１２３の各々とは、それぞれ１対１で対応するように配線によって互いに接続されている。第１円筒巻線１１１〜１１３において外側からａ層目(１≦ａ≦ｎ)に位置する第１円筒巻線と、第２円筒巻線１２１〜１２３において内側からａ層目(１≦ａ≦ｎ)に位置する第２円筒巻線とは、配線によって互いに接続されている。
【００１９】
具体的には、外側から１層目に位置する第１円筒巻線１１３の他端と、内側から１層目に位置する第２円筒巻線１２１の一端とが、配線１３３によって互いに接続されている。外側から２層目に位置する第１円筒巻線１１２の他端と、内側から２層目に位置する第２円筒巻線１２２の一端とが、配線１３２によって互いに接続されている。外側から３層目に位置する第１円筒巻線１１１の他端と、内側から３層目に位置する第２円筒巻線１２３の一端とが、配線１３１によって互いに接続されている。
【００２０】
配線１３１，１３３の各々は、第１多重円筒巻線１１０の軸方向１から見て、図３に示すように、第１多重円筒巻線１１０の径方向２に直線状に延在し、第１多重円筒巻線１１０の内周と外周との間に位置している。配線１３２は、第１多重円筒巻線１１０の軸方向１に直線状に延在している。
【００２１】
配線１３３は、第１円筒巻線１１３の他端と第２円筒巻線１２１の一端とを、最短距離で結んでいる。配線１３２は、第１円筒巻線１１２の他端と第２円筒巻線１２２の一端とを、最短距離で結んでいる。配線１３１は、第１円筒巻線１１１の他端と第２円筒巻線１２３の一端とを、最短距離で結んでいる。
【００２２】
図２に示すように、互いに接続された第１円筒巻線１１３と第２円筒巻線１２１とからなる円筒巻線接続体と、互いに接続された第１円筒巻線１１２と第２円筒巻線１２２とからなる円筒巻線接続体と、互いに接続された第１円筒巻線１１１と第２円筒巻線１２３とからなる円筒巻線接続体とは、並列に接続されている。
【００２３】
上記の３つの円筒巻線接続体の各々に含まれる素線の長さは、略同等になっている。具体的には、第１円筒巻線１１３に含まれる素線の長さと第２円筒巻線１２１に含まれる素線の長さとの合計と、第１円筒巻線１１２に含まれる素線の長さと第２円筒巻線１２２に含まれる素線の長さとの合計と、第１円筒巻線１１１に含まれる素線の長さと第２円筒巻線１２３に含まれる素線の長さとの合計とが、互いに略同等になっている。
【００２４】
上記の３つの円筒巻線接続体の各々の内側の面積は、略同等になっている。具体的には、第１円筒巻線１１３の内側の面積と第２円筒巻線１２１の内側の面積との合計と、第１円筒巻線１１２の内側の面積と第２円筒巻線１２２の内側の面積との合計と、第１円筒巻線１１１の内側の面積と第２円筒巻線１２３の内側の面積との合計とが、互いに略同等になっている。
【００２５】
よって、本実施形態に係るリアクトル１００においては、３つの円筒巻線接続体の各々のインピーダンスが略同等になる。これにより、３つの円筒巻線接続体の各々に電流が略均一に流れ、リアクトル１００にて発生する磁束１０の磁束密度の分布にばらつきが発生することを抑制できる。その結果、リアクトル１００において、損失を低減して、第１円筒巻線１１１〜１１３および第２円筒巻線１２１〜１２３の各々に局所的な高温部が発生することを抑制できる。局所的な高温部の発生を抑制することにより、第１円筒巻線１１１〜１１３および第２円筒巻線１２１〜１２３の各々の過熱による劣化を低減できる。
【００２６】
本実施形態においては、配線１３１〜１３３の各々が最短の長さで形成されているため、配線１３１〜１３３の各々での発熱量を低減できる。また、配線１３１〜１３３の各々が、第１多重円筒巻線１１０の内周と外周との間に位置していることにより、リアクトル１００の中心部の磁界に、配線１３１〜１３３が影響を及ぼすことを防止できる。
【００２７】
(実施形態２)
以下、本発明の実施形態２に係るリアクトルについて図面を参照して説明する。図４は、本発明の実施形態２に係るリアクトルの構成を示す斜視図である。図５は、図４のＶ部の接続構造を示す断面図である。図４においては、接続導体を図示していない。
【００２８】
図４，５に示すように、本発明の実施形態２に係るリアクトル２００は、第１多重円筒巻線２１０と、第１多重円筒巻線２１０と隣接して同軸上に位置する第２多重円筒巻線２２０と、第１多重円筒巻線２１０側とは反対側において第２多重円筒巻線２２０と隣接して同軸上に位置する第３多重円筒巻線２３０とを備える。
【００２９】
第１多重円筒巻線２１０においては、ｎ層(ｎ≧２)の第１円筒巻線が同心円状に配置されている。本実施形態においては、第１多重円筒巻線２１０は、３層の第１円筒巻線２１１〜２１３を含んでいるが、第１多重円筒巻線２１０が含む第１円筒巻線の層数は、３層に限られず、２層以上であればよい。
【００３０】
第２多重円筒巻線２２０においては、ｎ層(ｎ≧２)の第２円筒巻線が同心円状に配置されている。本実施形態においては、第２多重円筒巻線２２０は、３層の第２円筒巻線２２１〜２２３を含んでいるが、第２多重円筒巻線２２０が含む第２円筒巻線の層数は、３層に限られず、２層以上であればよい。
【００３１】
第３多重円筒巻線２３０においては、ｎ層(ｎ≧２)の第３円筒巻線が同心円状に配置されている。本実施形態においては、第３多重円筒巻線２３０は、３層の第３円筒巻線２３１〜２３３を含んでいるが、第３多重円筒巻線２３０が含む第３円筒巻線の層数は、３層に限られず、２層以上であればよい。
【００３２】
第１多重円筒巻線２１０の軸方向１において、第１多重円筒巻線２１０の長さは、第３多重円筒巻線２３０の長さと等しく、かつ、第１多重円筒巻線２１０の長さと第３多重円筒巻線２３０の長さとの合計が、第２多重円筒巻線２２０の長さと等しい。
【００３３】
第１円筒巻線２１１〜２１３、第２円筒巻線２２１〜２２３および第３円筒巻線２３１〜２３３の各々は、素線が巻き回されて構成されている。素線は、銅線の周囲をクラフト紙などの絶縁紙で覆った構造を有している。
【００３４】
第１円筒巻線２１１〜２１３の各々の一端は、接続導体１４１に接続されている。第３円筒巻線２３１〜２３３の各々の他端は、接続導体１４２に接続されている。
【００３５】
第１円筒巻線２１１〜２１３の各々と第２円筒巻線２２１〜２２３の各々とは、それぞれ１対１で対応するように配線によって互いに接続されている。第１円筒巻線２１１〜２１３において外側からａ層目(１≦ａ≦ｎ)に位置する第１円筒巻線と、第２円筒巻線２２１〜２２３において内側からａ層目(１≦ａ≦ｎ)に位置する第２円筒巻線とは、配線によって互いに接続されている。
【００３６】
具体的には、外側から１層目に位置する第１円筒巻線２１３の他端と、内側から１層目に位置する第２円筒巻線２２１の一端とが、配線２４３によって互いに接続されている。外側から２層目に位置する第１円筒巻線２１２の他端と、内側から２層目に位置する第２円筒巻線２２２の一端とが、配線２４２によって互いに接続されている。外側から３層目に位置する第１円筒巻線２１１の他端と、内側から３層目に位置する第２円筒巻線２２３の一端とが、配線２４１によって互いに接続されている。
【００３７】
配線２４１，２４３の各々は、第１多重円筒巻線２１０の軸方向１から見て、第１多重円筒巻線２１０の径方向に直線状に延在し、第１多重円筒巻線２１０の内周と外周との間に位置している。配線２４２は、第１多重円筒巻線２１０の軸方向１に直線状に延在している。
【００３８】
配線２４３は、第１円筒巻線２１３の他端と第２円筒巻線２２１の一端とを、最短距離で結んでいる。配線２４２は、第１円筒巻線２１２の他端と第２円筒巻線２２２の一端とを、最短距離で結んでいる。配線２４１は、第１円筒巻線２１１の他端と第２円筒巻線２２３の一端とを、最短距離で結んでいる。
【００３９】
第２円筒巻線２２１〜２２３の各々と第３円筒巻線２３１〜２３３の各々とは、それぞれ１対１で対応するように配線によって互いに接続されている。第２円筒巻線２２１〜２２３において外側からａ層目(１≦ａ≦ｎ)に位置する第２円筒巻線と、第３円筒巻線２３１〜２３３において内側からａ層目(１≦ａ≦ｎ)に位置する第３円筒巻線とは、配線によって互いに接続されている。
【００４０】
具体的には、外側から１層目に位置する第２円筒巻線２２３の他端と、内側から１層目に位置する第３円筒巻線２３１の一端とが、配線２５３によって互いに接続されている。外側から２層目に位置する第２円筒巻線２２２の他端と、内側から２層目に位置する第３円筒巻線２３２の一端とが、配線２５２によって互いに接続されている。外側から３層目に位置する第２円筒巻線２２１の他端と、内側から３層目に位置する第３円筒巻線２３３の一端とが、配線２５１によって互いに接続されている。
【００４１】
配線２５１，２５３の各々は、第１多重円筒巻線２１０の軸方向１から見て、第１多重円筒巻線２１０の径方向に直線状に延在し、第１多重円筒巻線２１０の内周と外周との間に位置している。配線２５２は、第１多重円筒巻線２１０の軸方向１に直線状に延在している。
【００４２】
配線２５３は、第２円筒巻線２２３の他端と第３円筒巻線２３１の一端とを、最短距離で結んでいる。配線２５２は、第２円筒巻線２２２の他端と第３円筒巻線２３２の一端とを、最短距離で結んでいる。配線２５１は、第２円筒巻線２２１の他端と第３円筒巻線２３３の一端とを、最短距離で結んでいる。
【００４３】
図５に示すように、互いに接続された第１円筒巻線２１３と第２円筒巻線２２１と第３円筒巻線２３３とからなる円筒巻線接続体と、互いに接続された第１円筒巻線２１２と第２円筒巻線２２２と第３円筒巻線２３２とからなる円筒巻線接続体と、互いに接続された第１円筒巻線２１１と第２円筒巻線２２３と第３円筒巻線２３１とからなる円筒巻線接続体とは、並列に接続されている。
【００４４】
上記の３つの円筒巻線接続体の各々に含まれる素線の長さは、略同等になっている。具体的には、第１円筒巻線２１３に含まれる素線の長さと第２円筒巻線２２１に含まれる素線の長さと第３円筒巻線２３３に含まれる素線の長さとの合計と、第１円筒巻線２１２に含まれる素線の長さと第２円筒巻線２２２に含まれる素線の長さと第３円筒巻線２３２に含まれる素線の長さとの合計と、第１円筒巻線２１１に含まれる素線の長さと第２円筒巻線２２３に含まれる素線の長さと第３円筒巻線２３１に含まれる素線の長さとの合計とが、互いに略同等になっている。
【００４５】
上記の３つの円筒巻線接続体の各々の内側の面積は、略同等になっている。具体的には、第１円筒巻線２１３の内側の面積と第２円筒巻線２２１の内側の面積と第３円筒巻線２３３の内側の面積との合計と、第１円筒巻線２１２の内側の面積と第２円筒巻線２２２の内側の面積と第３円筒巻線２３２の内側の面積との合計と、第１円筒巻線２１１の内側の面積と第２円筒巻線２２３の内側の面積と第３円筒巻線２３１の内側の面積との合計とが、互いに略同等になっている。
【００４６】
よって、本実施形態に係るリアクトル２００においては、３つの円筒巻線接続体の各々のインピーダンスが略同等になる。これにより、３つの円筒巻線接続体の各々に電流が略均一に流れ、リアクトル２００にて発生する磁束１０の磁束密度の分布にばらつきが発生することを抑制できる。その結果、リアクトル２００において、損失を低減して、第１円筒巻線２１１〜２１３、第２円筒巻線２２１〜２２３および第３円筒巻線２３１〜２３３の各々に局所的な高温部が発生することを抑制できる。局所的な高温部の発生を抑制することにより、第１円筒巻線２１１〜２１３、第２円筒巻線２２１〜２２３および第３円筒巻線２３１〜２３３の各々の過熱による劣化を低減できる。
【００４７】
本実施形態においては、配線２４１〜２４３および配線２５１〜２５３の各々が最短の長さで形成されているため、配線２４１〜２４３および配線２５１〜２５３の各々での発熱量を低減できる。また、配線２４１〜２４３および配線２５１〜２５３の各々が、第１多重円筒巻線２１０の内周と外周との間に位置していることにより、リアクトル２００の中心部の磁界に、配線２４１〜２４３および配線２５１〜２５３が影響を及ぼすことを防止できる。
【００４８】
実施形態１，２に記載のように、複数の円筒巻線接続体の各々に含まれる素線の長さが略同等になり、かつ、複数の円筒巻線接続体の各々の内側の面積が略同等になるように、リアクトルが４つ以上の多重円筒巻線を備えていてもよい。
【００４９】
なお、今回開示した上記実施形態はすべての点で例示であって、限定的な解釈の根拠となるものではない。したがって、本発明の技術的範囲は、上記した実施形態のみによって解釈されるものではなく、請求の範囲の記載に基づいて画定される。また、請求の範囲と均等の意味および範囲内でのすべての変更が含まれる。
【符号の説明】
【００５０】
１  軸方向、２  径方向、１０  磁束、１００，２００  リアクトル、１１０，２１０  第１多重円筒巻線、１１１，１１２，１１３，２１１，２１２，２１３  第１円筒巻線、１２０，２２０  第２多重円筒巻線、１２１，１２２，１２３，２２１，２２２，２２３  第２円筒巻線、１３１，１３２，１３３，２４１，２４２，２４３，２５１，２５２，２５３  配線、１４１，１４２  接続導体、２３０  第３多重円筒巻線、２３１，２３２，２３３  第３円筒巻線。
【図１】
2017126078.tif 000003
【図２】
2017126078.tif 000004
【図３】
2017126078.tif 000005
【図４】
2017126078.tif 000006
【図５】
2017126078.tif 000007
【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
ｎ層(ｎ≧３)の第１円筒巻線が同心円状に配置された第１多重円筒巻線と、
ｎ層(ｎ≧３)の第２円筒巻線が同心円状に配置され、前記第１多重円筒巻線と隣接して同軸上に位置する第２多重円筒巻線とを備え、
前記ｎ層の第１円筒巻線の各々と前記ｎ層の第２円筒巻線の各々とは、それぞれ１対１で対応するように配線によって互いに接続されており、
前記ｎ層の第１円筒巻線において外側からａ層目(１≦ａ≦ｎ)に位置する第１円筒巻線と、前記ｎ層の第２円筒巻線において内側からａ層目(１≦ａ≦ｎ)に位置する第２円筒巻線とは、前記配線によって互いに接続されており、
互いに接続された第１円筒巻線と第２円筒巻線とからなる複数の円筒巻線接続体が、並列に接続されており、
ｎ層(ｎ≧３)の第３円筒巻線が同心円状に配置され、第１多重円筒巻線側とは反対側において前記第２多重円筒巻線と隣接して同軸上に位置する第３多重円筒巻線をさらに備え、
前記ｎ層の第２円筒巻線の各々と前記ｎ層の第３円筒巻線の各々とは、それぞれ１対１で対応するように配線によって互いに接続されており、
前記ｎ層の第２円筒巻線において外側からａ層目(１≦ａ≦ｎ)に位置する第２円筒巻線と、前記ｎ層の第３円筒巻線において内側からａ層目(１≦ａ≦ｎ)に位置する第３円筒巻線とは、前記配線によって互いに接続されており、
互いに接続された第１円筒巻線と第２円筒巻線と第３円筒巻線とからなる前記複数の円筒巻線接続体が、並列に接続されている、リアクトル。
【請求項２】
前記第１多重円筒巻線の軸方向において、前記第１多重円筒巻線の長さは、前記第３多重円筒巻線の長さと等しく、かつ、前記第１多重円筒巻線の長さと前記第３多重円筒巻線の長さとの合計が、前記第２多重円筒巻線の長さと等しい、請求項１に記載のリアクトル。
【請求項３】
前記配線が、前記第１多重円筒巻線の軸方向から見て、前記第１多重円筒巻線の径方向に直線状に延在し、前記第１多重円筒巻線の内周と外周との間に位置している、請求項１または請求項２に記載のリアクトル。
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
ｎ層(ｎ≧３)の第１円筒巻線が同心円状に配置された第１多重円筒巻線と、
前記ｎ層の第２円筒巻線が同心円状に配置され、前記第１多重円筒巻線と隣接して同軸上に位置する第２多重円筒巻線とを備え、
前記ｎ層の第１円筒巻線の各々と前記ｎ層の第２円筒巻線の各々とは、それぞれ１対１で対応するように配線によって互いに接続されており、
前記ｎ層の第１円筒巻線において外側からａ層目(１≦ａ≦ｎ)に位置する第１円筒巻線と、前記ｎ層の第２円筒巻線において内側からａ層目(１≦ａ≦ｎ)に位置する第２円筒巻線とは、前記配線によって互いに接続されており、
前記ｎ層の第３円筒巻線が同心円状に配置され、第１多重円筒巻線側とは反対側において前記第２多重円筒巻線と隣接して同軸上に位置する第３多重円筒巻線をさらに備え、
前記ｎ層の第２円筒巻線の各々と前記ｎ層の第３円筒巻線の各々とは、それぞれ１対１で対応するように配線によって互いに接続されており、
前記ｎ層の第２円筒巻線において外側からａ層目(１≦ａ≦ｎ)に位置する第２円筒巻線と、前記ｎ層の第３円筒巻線において内側からａ層目(１≦ａ≦ｎ)に位置する第３円筒巻線とは、前記配線によって互いに接続されており、
互いに接続された第１円筒巻線と第２円筒巻線と第３円筒巻線とからなる複数の円筒巻線接続体が、並列に接続されており、
前記第１多重円筒巻線の軸方向において、前記第１多重円筒巻線の長さは、前記第３多重円筒巻線の長さと等しく、かつ、前記第１多重円筒巻線の長さと前記第３多重円筒巻線の長さとの合計が、前記第２多重円筒巻線の長さと等しく、
前記複数の円筒巻線接続体において、前記第１円筒巻線の内側の面積と前記第２円筒巻線の内側の面積と前記第３円筒巻線の内側の面積との合計が、互いに略同等である、リアクトル。
【請求項２】
前記配線が、前記第１多重円筒巻線の軸方向から見て、前記第１多重円筒巻線の径方向に直線状に延在し、前記第１多重円筒巻線の内周と外周との間に位置している、請求項１に記載のリアクトル。
【国際調査報告】
2017126078.tif 000008
2017126078.tif 000009